(57)【要約】【課題】ユーザがより快適さを求める音量レベルに調整することが可能な音量調整機能を有する電子機器を提供する。【解決手段】このＢＤレコーダ２（音量調整機能を有する電子機器）は、ＴＶ１の音量値を調整可能なＢＤ側アンプ２４と、ＴＶ１の音量値が第１音量値から第２音量値に変更された後、所定時間以内に、第２音量値から第１音量値に変更された場合に、音量値が第１音量値と第２音量値との間の大きさになるようにＢＤ側アンプ２４を制御する制御部２８とを備える。【選択図】図１
2014086965.tif 000002
【特許請求の範囲】
【請求項１】
外部接続機器の音量値を調整可能な音量調整部と、
前記外部接続機器の音量値が第１音量値から第２音量値に変更された後、所定時間以内に、前記第２音量値から前記第１音量値に変更された場合に、前記音量値が前記第１音量値と前記第２音量値との間の大きさになるように前記音量調整部を制御する制御部とを備える、音量調整機能を有する電子機器。
【請求項２】
前記制御部は、前記音量値が前記第１音量値と前記第２音量値との略中間値になるように前記音量調整部を制御するように構成されている、請求項１に記載の音量調整機能を有する電子機器。
【請求項３】
前記音量調整部は、前記外部接続機器に含まれる外部接続機器音量調整部が有する音量値の調整量よりも小さい調整量で前記外部接続機器の音量値を調整可能に構成されており、
前記制御部は、前記第１音量値と前記第２音量値との差よりも小さい調整量により前記外部接続機器の音量値が前記第１音量値と前記第２音量値と間の第３音量値に変更されるように前記音量調整部を制御するように構成されている、請求項１または２に記載の音量調整機能を有する電子機器。
【請求項４】
前記制御部は、前記外部接続機器の音量値が前記第３音量値から前記第１音量値に変更された後、前記第１音量値から前記第３音量値に変更された場合に、前記第１音量値と前記第３音量値との差よりも小さい調整量を用いて前記外部接続機器の音量値が前記第１音量値と前記第３音量値との間の大きさの第４音量値に変更されるように前記音量調整部を制御するか、または、前記外部接続機器の音量値が前記第３音量値から前記第２音量値に変更された後、前記第２音量値から前記第３音量値に変更された場合に、前記第２音量値と前記第３音量値との差よりも小さい調整量を用いて前記外部接続機器の音量値が前記第３音量値と前記第２音量値との間の大きさの第５音量値に変更されるように前記音量調整部を制御するように構成されている、請求項３に記載の音量調整機能を有する電子機器。
【請求項５】
前記外部接続機器に対する音量調整状態を記憶可能な記憶部をさらに備え、
前記制御部は、前記外部接続機器との接続が解除された後、再度、前記外部接続機器が接続されたと判断した場合に、前記記憶部に記憶された前記音量調整状態に基づいて、前記音量値が前記第１音量値と前記第２音量値との間の大きさになるように前記音量調整部を制御するように構成されている、請求項１〜４のいずれか１項に記載の音量調整機能を有する電子機器。
【請求項６】
前記制御部は、前記音量値が前記第１音量値と前記第２音量値との間の大きさに調整された状態において、前記外部接続機器の音量値が前記第１音量値側から前記第２音量値側に向けて一方方向に複数回にわたって変更された際、前記音量値を前記第１音量値と前記第２音量値との間の大きさに調整する前記音量調整部の調整制御を解除するように構成されている、請求項１〜５のいずれか１項に記載の音量調整機能を有する電子機器。
【請求項７】
前記外部接続機器と前記電子機器とは、ＨＤＭＩ規格に基づく通信を行うことが可能なＨＤＭＩ通信部をさらに備え、
前記制御部は、ＨＤＭＩ規格に基づいた信号形式によって、前記ＨＤＭＩ通信部を介して前記外部接続機器の音量値を前記第１音量値と前記第２音量値との間の大きさにする制御を前記外部接続機器に対して行うように構成されている、請求項１〜６のいずれか１項に記載の音量調整機能を有する電子機器。
【請求項８】
外部接続機器と、
音量調整機能を有する電子機器とを備え、
前記音量調整機能を有する電子機器は、前記外部接続機器の音量値を調整可能な音量調整部と、前記外部接続機器の音量値が第１音量値から第２音量値に変更された後、所定時間以内に、前記第２音量値から前記第１音量値に変更された場合に、前記音量値が前記第１音量値と前記第２音量値との間の大きさになるように前記音量調整部を制御する制御部とを含む、電子機器システム。
【請求項９】
外部接続機器の音量値を検出するステップと、
前記外部接続機器の音量値が第１音量値から第２音量値に変更された後、所定時間以内に、前記第２音量値から前記第１音量値に変更されたことを検出するステップと、
前記第１音量値と前記第２音量値との間の大きさになるように前記外部接続機器の音量値を調整するステップとを備える、音量調整方法。
【発明の詳細な説明】
【技術分野】
【０００１】
この発明は、音量調整機能を有する電子機器、電子機器システムおよび音量調整方法に関し、特に、外部接続機器の音量値を調整可能な音量調整部を備えた音量調整機能を有する電子機器、電子機器システムおよび音量調整方法に関する。
【背景技術】
【０００２】
従来、外部接続機器の音量値を調整可能な音量調整部を備えた音量調整機能を有する電子機器が知られている（たとえば、特許文献１参照）。
【０００３】
上記特許文献１には、ディスプレイ（外部接続機器）のスピーカから出力される音量値を設定する操作スイッチと、操作スイッチにより設定された音量値を第１のメモリに記憶する制御を行うＳＴＢ側制御部とを備えるセットトップボックス（音量調整機能を有する電子機器）が開示されている。また、外部接続機器としてのディスプレイにおいては、セットトップボックス側で設定された音量値を記憶する第２のメモリが設けられている。このセットトップボックスでは、ディスプレイとの接続が解除された後、再度、ディスプレイと接続された場合に、第１のメモリに記憶された音量値と、ディスプレイ側の第２のメモリに記憶された音量値とが比較されて、より小さい側の音量値がディスプレイに再設定されるように構成されている。なお、セットトップボックスからディスプレイに対して設定される音量値は、予め設定された等間隔な増減幅（固定値）で段階的に変化するように構成されていると考えられる。
【先行技術文献】
【特許文献】
【０００４】
【特許文献１】特開２００３−３４７８６９号公報
【発明の概要】
【発明が解決しようとする課題】
【０００５】
しかしながら、上記特許文献１に記載のセットトップボックスでは、ディスプレイに対して設定される音量値が予め設定された等間隔な増減幅（固定値）で段階的に変化すると考えられるため、現在設定されている音量を１段階だけ増加（または減少）させたとしても、変更後の音量ではユーザにとって若干過大（または過小）となって感じ取られる場合も十分に考えられる。このような場合、ユーザがより快適さを求める音量レベルに調整することができないという問題点がある。
【０００６】
この発明は、上記のような課題を解決するためになされたものであり、この発明の１つの目的は、ユーザがより快適さを求める音量レベルに調整することが可能な音量調整機能を有する電子機器、電子機器システムおよび音量調整方法を提供することである。
【課題を解決するための手段】
【０００７】
この発明の第１の局面による音量調整機能を有する電子機器は、外部接続機器の音量値を調整可能な音量調整部と、外部接続機器の音量値が第１音量値から第２音量値に変更された後、所定時間以内に、第２音量値から第１音量値に変更された場合に、音量値が第１音量値と第２音量値との間の大きさになるように音量調整部を制御する制御部とを備える。
【０００８】
この発明の第１の局面による音量調整機能を有する電子機器では、上記のように、外部接続機器の音量値が第１音量値から第２音量値に変更された後、所定時間以内に、第２音量値から第１音量値に変更された場合に、音量値が第１音量値と第２音量値との間の大きさになるように音量調整部を制御する制御部を設けることによって、外部接続機器から出力される音量を、第１音量値および第２音量値のみならず第１音量値と第２音量値との間の大きさにも設定することができる。これにより、出力中（試聴中）の音量がユーザにとって第１音量値では過小であり第２音量値では過大であるような場合においても、ユーザはそれらの間の大きさに調整（微調整）された音量の状態で音声を聴くことができるので、ユーザがより快適さを求める（真に所望する）音量レベルに調整することができる。また、ユーザが第１音量値と第２音量値とを行ったり来たりして最適な音量値（音量設定値）を決め兼ねているような場合に第１音量値と第２音量値との間の大きさに調整（設定）することができるので、電子機器側からの機器操作に基づくユーザの意思を外部接続機器に対して的確に反映してユーザがより快適さを求める音量レベルに調整することができる。
【０００９】
上記第１の局面による音量調整機能を有する電子機器において、好ましくは、制御部は、音量値が第１音量値と第２音量値との略中間値になるように音量調整部を制御するように構成されている。このように構成すれば、外部接続機器の音量値に第１音量値と第２音量値とのおおよそ中間（平均）値が適用されるので、ユーザがより快適さを求める音量レベルに比較的迅速に近づけることができる。
【００１０】
上記第１の局面による音量調整機能を有する電子機器において、好ましくは、音量調整部は、外部接続機器に含まれる外部接続機器音量調整部が有する音量値の調整量よりも小さい調整量で外部接続機器の音量値を調整可能に構成されており、制御部は、第１音量値と第２音量値との差よりも小さい調整量により外部接続機器の音量値が第１音量値と第２音量値との間の第３音量値に変更されるように音量調整部を制御するように構成されている。このように構成すれば、外部接続機器から出力される音量を、第１音量値および第２音量値の間の第３音量値に容易に微調整することができる。
【００１１】
この場合、好ましくは、制御部は、外部接続機器の音量値が第３音量値から第１音量値に変更された後、第１音量値から第３音量値に変更された場合に、第１音量値と第３音量値との差よりも小さい調整量を用いて外部接続機器の音量値が第１音量値と第３音量値との間の大きさの第４音量値に変更されるように音量調整部を制御するか、または、外部接続機器の音量値が第３音量値から第２音量値に変更された後、第２音量値から第３音量値に変更された場合に、第２音量値と第３音量値との差よりも小さい調整量を用いて外部接続機器の音量値が第３音量値と第２音量値との間の大きさの第５音量値に変更されるように音量調整部を制御するように構成されている。このように構成すれば、外部接続機器の音量が、第１音量値および第２音量値の間の第３音量値のみならず、第１音量値とこの第３音量値との間の大きさの第４音量値、または、第２音量値とこの第３音量値との間の大きさの第５音量値に向けてさらに微調整されるので、ユーザがこの電子機器を使用して外部接続機器から音声を聴く際の音量レベルに関する快適性をより高めることができる。
【００１２】
上記第１の局面による音量調整機能を有する電子機器において、好ましくは、外部接続機器に対する音量設定状態を記憶可能な記憶部をさらに備え、制御部は、外部接続機器との接続が解除された後、再度、外部接続機器が接続されたと判断した場合に、記憶部に記憶された音量設定状態に基づいて、音量値が第１音量値と第２音量値との間の大きさになるように音量調整部を制御するように構成されている。このように構成すれば、外部接続機器との接続が解除された後、再度、この電子機器に外部接続機器が接続された場合にも、記憶部に記憶された外部接続機器に対する音量設定状態に基づいて、外部接続機器の音量をユーザがより快適さを求める音量レベルに容易かつ迅速に調整することができる。
【００１３】
上記第１の局面による音量調整機能を有する電子機器において、好ましくは、制御部は、音量値が第１音量値と第２音量値との間の大きさに調整された状態において、外部接続機器の音量値が第１音量値側から第２音量値側に向けて一方方向に複数回にわたって変更された際、音量値を第１音量値と第２音量値との間の大きさに調整する音量調整部の調整制御を解除するように構成されている。このように構成すれば、異なるユーザが外部接続機器を使用する場合など、音量値（音量レベル）を一方向に増加または減少させて外部接続機器から出力される音量値を大幅に変更したい場合に、それまでの第１音量値と第２音量値との間の大きさに音量値を調整する上記した微調整制御を速やかに解除することができるので、この電子機器の操作性が微調整制御のみに特化しすぎて低下することを抑制することができる。
【００１４】
上記第１の局面による音量調整機能を有する電子機器において、好ましくは、外部接続機器と電子機器とは、ＨＤＭＩ規格に基づく通信を行うことが可能なＨＤＭＩ通信部をさらに備え、制御部は、ＨＤＭＩ規格に基づいた信号形式によって、ＨＤＭＩ通信部を介して外部接続機器の音量値を第１音量値と第２音量値との間の大きさにする制御を外部接続機器に対して行うように構成されている。このように構成すれば、ＨＤＭＩ規格に基づいた信号形式により、外部接続機器の音量値を第１音量値および第２音量値の間の音量値に調整（微調整）する制御を外部接続機器に対して容易に行うことができる。
【００１５】
この発明の第２の局面による電子機器システムは、外部接続機器と、音量調整機能を有する電子機器とを備え、音量調整機能を有する電子機器は、外部接続機器の音量値を調整可能な音量調整部と、外部接続機器の音量値が第１音量値から第２音量値に変更された後、所定時間以内に、第２音量値から第１音量値に変更された場合に、音量値が第１音量値と第２音量値との間の大きさになるように音量調整部を制御する制御部とを含む。
【００１６】
この発明の第２の局面による電子機器システムでは、上記のように、外部接続機器の音量値が第１音量値から第２音量値に変更された後、所定時間以内に、第２音量値から第１音量値に変更された場合に、音量値が第１音量値と第２音量値との間の大きさになるように音量調整部を制御することによって、外部接続機器から出力される音量を、第１音量値および第２音量値のみならず第１音量値と第２音量値との間の大きさにも設定することができる。これにより、出力中（試聴中）の音量がユーザにとって第１音量値では過小であり第２音量値では過大であるような場合においても、ユーザはそれらの間の大きさに調整（微調整）された音量の状態で音声を聴くことができるので、ユーザがより快適さを求める音量レベルに調整することができる。また、ユーザが第１音量値と第２音量値とを行ったり来たりして最適な音量値（音量設定値）を決め兼ねているような場合に第１音量値と第２音量値との間の大きさに調整（設定）することができるので、電子機器側からの機器操作に基づくユーザの意思を外部接続機器に対して的確に反映してユーザがより快適さを求める音量レベルに調整することができる。
【００１７】
この発明の第３の局面による音量調整方法は、外部接続機器の音量値を検出するステップと、外部接続機器の音量値が第１音量値から第２音量値に変更された後、所定時間以内に、第２音量値から第１音量値に変更されたことを検出するステップと、第１音量値と第２音量値との間の大きさになるように外部接続機器の音量値を調整するステップとを備える。
【００１８】
この発明の第３の局面による音量調整方法では、外部接続機器の音量値が第１音量値から第２音量値に変更された後、所定時間以内に、第２音量値から第１音量値に変更された場合に、第１音量値と第２音量値との間の大きさになるように外部接続機器の音量値を調整することによって、外部接続機器から出力される音量を、第１音量値および第２音量値のみならず第１音量値と第２音量値との間の大きさにも設定することができる。これにより、出力中の音量がユーザにとって第１音量値では過小であり第２音量値では過大であるような場合においても、ユーザはそれらの間の大きさに調整（微調整）された音量の状態で音声を聴くことができるので、ユーザがより快適さを求める音量レベルに調整することができる。また、ユーザが第１音量値と第２音量値とを行ったり来たりして最適な音量値（音量設定値）を決め兼ねているような場合に第１音量値と第２音量値との間の大きさに調整（設定）することができるので、電子機器側からの機器操作に基づくユーザの意思を外部接続機器に対して的確に反映してユーザがより快適さを求める音量レベルに調整することができる。
【発明の効果】
【００１９】
本発明によれば、上記のように、ユーザがより快適さを求める音量レベルに調整することができる。
【図面の簡単な説明】
【００２０】
【図１】本発明の第１実施形態による映像システムの構成を示したブロック図である。
【図２】本発明の第１実施形態による映像システムを構成するＴＶ（外部接続機器）から出力される音量値の調整状態を示した図である。
【図３】本発明の第１実施形態による映像システムを構成するＴＶ（外部接続機器）から出力される音量値を増加させる際の微調整制御について説明するための図である。
【図４】本発明の第１実施形態による映像システムを構成するＴＶ（外部接続機器）から出力される音量値を減少させる際の微調整制御について説明するための図である。
【図５】本発明の第１実施形態による映像システムにおける音量値調整処理を説明するためのフローチャートである。
【図６】本発明の第１実施形態による映像システムにおける調整量変更処理を説明するためのフローチャートである。
【図７】本発明の第２実施形態による映像システムにおいて使用される調整履歴情報の構成内容を示した図である。
【図８】本発明の第１実施形態の変形例による映像システムの音量値を上げた場合に微調整される状態を説明するための図である。
【図９】本発明の第１実施形態の変形例による映像システムの音量値を下げた場合に微調整される状態を説明するための図である。
【発明を実施するための形態】
【００２１】
（第１実施形態）
まず、図１〜図４を参照して、本発明の第１実施形態による映像システム１００の構成について説明する。なお、映像システム１００は、本発明の「電子機器システム」の一例である。
【００２２】
本発明の第１実施形態による映像システム１００は、図１に示すように、ＴＶ（テレビジョン）１と、ＢＤ（ブルーレイディスク）レコーダ２とを備える。また、ＴＶ１と、ＢＤレコーダ２とは、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル３を介して接続されており、双方向に通信可能に構成されている。なお、ＴＶ１は、本発明の「外部接続機器」の一例である。また、ＢＤレコーダ２は、本発明の「音量調整機能を有する電子機器」の一例である。
【００２３】
ＴＶ１は、図１に示すように、ＨＤＭＩ接続部１１と、映像ＤＡＣ（Ｄｉｇｉｔａｌ  ｔｏ  Ａｎａｌｏｇ  ｃｏｎｖｅｒｔｅｒ）１２と、表示部１３と、音声ＤＡＣ１４と、リモコンセンサ１５と、ＴＶ側アンプ１６と、制御部１７とを含んでいる。なお、ＴＶ側アンプ１６は、本発明の「外部接続機器音量調整部」の一例である。
【００２４】
ＨＤＭＩ接続部１１には、図１に示すように、ＨＤＭＩケーブル３の一方端が接続されるように構成されている。また、ＨＤＭＩケーブル３は、ＨＤＭＩ規格に基づいた機器間で双方向に通信可能なＣＥＣ信号、映像および音声に関するＴＭＤＳ信号および機器間の接続に関するＨｏｔ  Ｐｌｕｇ信号を伝送可能に構成されている。
【００２５】
映像ＤＡＣ１２（図１参照）は、ＢＤレコーダ２から伝送された映像をデジタル方式からアナログ方式に変換するように構成されている。また、表示部１３（図１参照）は、映像ＤＡＣ１２から伝送されたデータに基づいて、映像を表示するように構成されている。また、表示部１３には、図２に示すように、ＴＶ１およびＢＤレコーダ２の音量値の調整の状態を、ＯＳＤ（Ｏｎ  Ｓｃｒｅｅｎ  Ｄｉｓｐｌａｙ）機能を用いて、視覚的に表示することが可能なように構成されている。
【００２６】
音声ＤＡＣ１４（図１参照）は、ＢＤレコーダ２から伝送された音声をデジタル方式からアナログ方式に変換するように構成されている。
【００２７】
リモコンセンサ１５（図１参照）は、リモコン（図示せず）からの信号を受信可能に構成されている。また、ＴＶ１は、ユーザがリモコンを操作することによりＴＶ１から出力される音声の音量値を所望の音量値に調整可能に構成されている。また、ＴＶ側アンプ１６（図１参照）は、リモコンセンサ１５が受信したユーザ操作により調整された音量値に基づいて、音声を増幅させるように構成されている。また、図２に示すように、ＴＶ１は、所定の調整量（たとえば、１ｄＢごと）で音量値を調整可能に構成されている。また、ＴＶ１の音量値「１」は、１ｄＢの大きさに対応している。また、リモコンセンサ１５が受信したユーザ操作により調整された音量値の情報は、ＣＥＣ信号によりＨＤＭＩケーブル３（図１参照）を介して、ＢＤレコーダ２に伝送される。
【００２８】
制御部１７（図１参照）は、ＴＶ１の全体の制御を行うように構成されている。また、制御部１７は、リモコンセンサ１５により受信された信号に基づいて、ＴＶ側アンプ１６を制御して音量値を調整するように構成されている。
【００２９】
ＢＤレコーダ２は、図１に示すように、デコーダ２１と、チューナ２２ａと、ＢＤドライブ２２ｂと、ＨＤＤ（ハードディスクドライブ）２２ｃと、デジタル映像出力部２３とを含んでいる。また、ＢＤレコーダ２は、ＢＤ側アンプ２４と、デジタル音声出力部２５と、ＨＤＭＩ接続部２６と、記憶部２７と、制御部２８とをさらに含んでいる。なお、ＢＤ側アンプ２４は、本発明の「音量調整部」の一例である。また、ＨＤＭＩ接続部２６は、本発明の「ＨＤＭＩ通信部」の一例である。
【００３０】
デコーダ２１（図１参照）は、チューナ２２ａ（図１参照）により受信された放送波を復号可能に構成されている。また、デコーダ２１は、ＢＤドライブ２２ｂ（図１参照）に挿入されたＢＤのデータを復号可能に構成されている。また、デコーダ２１は、ＨＤＤ２２ｃ（図１参照）に記憶されたデータを復号可能に構成されている。
【００３１】
デジタル映像出力部２３（図１参照）は、デコーダ２１で復号されたデータをＨＤＭＩ接続部２６に伝送するように構成されている。
【００３２】
ここで、第１実施形態では、ＢＤ側アンプ２４（図１参照）は、デコーダ２１で復号されたデータ（音声データ）を増幅させるように構成されている。また、ＢＤ側アンプ２４は、ＢＤレコーダ２から出力される音声の音量値を変更してＴＭＤＳ信号により伝送することによって、ＴＶ１の音量値を調整可能なように構成されている。この場合、ＢＤ側アンプ２４は、所定の調整量（たとえば、１ｄＢごと）で音量値を調整可能に構成されている。また、ＢＤ側アンプ２４は、音量値を調整する調整量を変える（たとえば、１ｄＢ刻みから０．５ｄＢ刻み）ことが可能なように構成されている。なお、以降の説明を分かり易くするために、ＢＤ側アンプ２４の調整量としての１ｄＢは、ＴＶ１にデフォルトで設定されている音量値の調整量の最小単位である「１」（１目盛）に対応している状態であると仮定する。また、ＢＤ側アンプ２４は、ＴＶ１に設けられたＴＶ側アンプ１４が有する音量値の調整量（１目盛きざみ）よりも小さい音量値の調整量に調整可能に構成されている。また、ＢＤ側アンプ２４は、音量値をプラス方向に（音量値を増加方向に）のみ変更させるように構成されている。
【００３３】
デジタル音声出力部２５（図１参照）は、ＢＤ側アンプ２４で増幅されたデータをＨＤＭＩ接続部２６に伝送するように構成されている。
【００３４】
ＨＤＭＩ接続部２６は、図１に示すように、ＨＤＭＩケーブル３の他方端が接続されるように構成されている。したがって、ＨＤＭＩ接続部２６により、ＢＤレコーダ２とＴＶ１とは、ＨＤＭＩ規格に基づく通信を行うことが可能である。また、記憶部２７（図１参照）は、ＢＤドライブ２２ｂの音量値の調整量などを記憶可能なように構成されている。
【００３５】
ここで、第１実施形態では、制御部２８（図１参照）は、ＨＤＭＩケーブル３を介してＴＶ１の音量値が変更されたことを受信した場合に、ＴＶ１に出力する音声の音量値を変更する制御を行うように構成されている。この際、本実施形態では、制御部２８は、ＣＥＣ信号によって、ＨＤＭＩ接続部１１を介して音量値を第１音量値と第２音量値との間大きさの音量値にする制御をＴＶ１に対して行うように構成されている。また、制御部２８は、ＴＶ１の音量値が第１音量値から第２音量値に変更された後、第２音量値から第１音量値に変更された場合に、調整される音量値が第１音量値から第２音量値までの間の調整量よりも小さい調整量になるようにＢＤ側アンプ２４を調整する制御を行うように構成されている。
【００３６】
また、第１実施形態では、制御部２８は、ＴＶ１の音量値が第１音量値から第２音量値に変更された後、所定時間（たとえば、３秒）以内に、第２音量値から第１音量値に変更された場合に、音量値を第１音量値と第２音量値との間の音量値になるようにＢＤ側アンプ２４を制御するように構成されている。
【００３７】
具体的には、制御部２８は、図３に示すように、ＴＶ１の音量値が第１音量値（たとえば、音量値２０）から第２音量値（たとえば、音量値２１）に上げられた後、第２音量値から第１音量値に下げられた場合に、第１音量値と第２音量値との中間値としての第３音量値（たとえば、音量値２０．５に相当する大きさ）になるようにＢＤ側アンプ２４を調整する制御を行うように構成されている。すなわち、制御部２８は、ＴＶ１の音量値が第１音量値（音量値２０）から第２音量値（音量値２１）に上げられた後、再度、第１音量値に下げられたことのＣＥＣ信号をＨＤＭＩケーブル３を介して受信した場合には、ＢＤ側アンプ２４における音量値の調整量を１ｄＢから０．５ｄＢに変更する制御を行う。そして、第１音量値に対応する音量値（たとえば、音量値２０（２０ｄＢ））に０．５ｄＢだけ加算した状態でＴＶ１に出力する。これにより、ＴＶ１からは、音量値２０．５の音声が出力される。なお、この状態は、ＴＶ１のＯＳＤ機能により表示部１３に表示される画面（図２参照）により確認することが可能に構成されている。
【００３８】
また、第１実施形態では、図３に示すように、上記のようにＢＤ側アンプ２４における音量値の調整量が変更（たとえば、０．５ｄＢ刻み）された状態で、ＴＶ１の音量値が１上げられた（たとえば、現在の音量値２０．５から音量値２１．５への変更）ことのＣＥＣ信号をＨＤＭＩケーブル３を介して受信した場合には、音量値が１上げられた後の音量値に対応する音量値（音量値２１．５）に０．５ｄＢ加算した状態でＴＶ１に一旦出力する。そして、即座に制御部２８は、ＴＶ側アンプ１６の音量値を１だけ下げる旨のＣＥＣ信号をＨＤＭＩケーブル３を介して、ＴＶ１の制御部１７に伝送する制御を行うように構成されている。この結果、ＴＶ１からは、音量値２１の音声が出力される。
【００３９】
また、制御部２８は、図４に示すように、ＴＶ１の音量値が第１音量値（たとえば、音量値２０）から第２音量値（たとえば、音量値１９）に下げられた後、第２音量値から第１音量値に上げられた場合に、第３音量値（たとえば、音量値１９．５）になるようにＢＤ側アンプ２４を調整する制御を行うように構成されている。この際、制御部２８は、ＴＶ１の音量値が第１音量値（たとえば、音量値２０）から第２音量値（たとえば、音量値１９）に下げられた後、再度、第１音量値に上げられたことのＣＥＣ信号をＨＤＭＩケーブル３を介して受信した場合に、ＢＤ側アンプ２４における音量値の調整量を１ｄＢから０．５ｄＢに変更する制御を行う。この場合、第１音量値に対応する音量値（たとえば、音量値２０（２０ｄＢ））に０．５ｄＢ加算した状態でＴＶ１に一旦出力する。そして、即座に制御部２８は、ＴＶ側アンプ１６の音量値を１だけ下げる旨のＣＥＣ信号をＨＤＭＩケーブル３を介して、ＴＶ１の制御部１７に伝送する制御を行うように構成されている。この結果、ＴＶ１からは、音量値１９．５の音声が実際に出力される。
【００４０】
また、第１実施形態では、図４に示すように、上記のようにＢＤ側アンプ２４における音量値の調整量が変更（たとえば、０．５ｄＢ刻み）された状態で、ＴＶ１の音量値が１下げられた（たとえば、現在の音量値１９．５から音量値１８．５への変更）ことのＣＥＣ信号をＨＤＭＩケーブル３を介して受信した場合には、音量値が１下げられた後の音量値に対応する音量値（音量値１８．５）に０．５ｄＢ加算した状態でＴＶ１に出力する。この結果、ＴＶ１は、音量値１９として音声を出力する。
【００４１】
また、制御部２８（図１参照）は、ＴＶ１に対する音量調整状態を記憶部２７に記憶可能なように構成されている。具体的には、制御部２８は、ＢＤレコーダ２に接続されているＴＶ１を特定するための情報、ＢＤ側アンプ２４の音量値の調整量（たとえば、０．５ｄＢ）の情報、第１音量値から一旦変更された音量値（第２音量値（たとえば、音量２１））についての情報、および、最終的に調整された音量値（たとえば、音量値２０．５）の情報などを記憶部２７に記憶する制御を行うように構成されている。また、制御部２８は、ＴＶ１に対する音量調整状態についても記憶部２７に記憶可能なように構成されている。具体的には、制御部２８は、ＢＤレコーダ２に接続されているＴＶ１を特定するための情報、ＢＤ側アンプ２４の音量値の調整量（たとえば、０．５ｄＢ）の情報、第２音量値（たとえば、音量値１９）についての情報、および、ＴＶ１に設定された音量値（たとえば、音量値１９．５）の情報などを記憶部２７に記憶する制御を行うように構成されている。
【００４２】
また、第１実施形態では、制御部２８（図１参照）は、ＴＶ１の接続が解除された後、再度、外部接続機器が接続されたと判断した場合に、記憶部２７に記憶された音量調整状態に基づいて、第１音量値と第２音量値との間の音量値になるように音量調整部を制御するように構成されている。具体的には、制御部２８は、ＴＶ１とＢＤレコーダ２の接続が解除された後、再度、接続（Ｈｏｔ  Ｐｌｕｇ信号が伝送された）が行われた際に、記憶部２７に記憶された音量調整状態に基づいて、第１音量値と第２音量値との間の大きさの音量値（たとえば、音量値２０．５）になるようにＢＤ側アンプ２４を制御するように構成されている。
【００４３】
また、第１実施形態では、制御部２８（図１参照）は、音量値が第１音量値と第２音量値との間の大きさに調整された状態において、ＴＶ１の音量値が第１音量値側から第２音量値側に向かって同じ方向に複数回（たとえば、３回）にわたって変更された際、音量値を第１音量値と第２音量値との間の大きさに調整するＢＤ側アンプ２４の制御を解除するように構成されている。
【００４４】
次に、図５を参照して、第１実施形態による映像システム１００の制御部２８により実行される音量値調整処理フローについて説明する。
【００４５】
まず、図５に示すように、ステップＳ１において、音量値調整モードに移行する信号が受信されたか否かが判断される。具体的には、ＴＶ１の図示しないＯＳＤをユーザが操作することにより、ＢＤレコーダ２が音量値調整モードに移行されたか否かが判断される。ステップＳ１において、音量値調整モードに移行する信号が受信されたと判断されない場合には、音量値調整処理が終了される。一方、音量値調整モードに移行する信号が受信されたと判断された場合には、ステップＳ２に進む。
【００４６】
ステップＳ２において、第１音量値から第２音量値に変更されたＣＥＣ信号が受信されたか否かが判断される。第１音量値から第２音量値に変更されたＣＥＣ信号が受信されたと判断されない場合には音量値調整処理が終了される。一方、ステップＳ２において、第１音量値から第２音量値に変更されたＣＥＣ信号が受信されたと判断された場合には、ステップＳ３に進む。
【００４７】
ステップＳ３において、第１音量値から第２音量値に変更されたＣＥＣ信号が受信された後、所定時間（たとえば、３秒）内に、第２音量値から第１音量値に変更されたＣＥＣ信号が受信されたか否かが判断される。所定時間内に、第２音量値から第１音量値に変更されたＣＥＣ信号が受信されたと判断されない場合には、音量値調整処理が終了される。ステップＳ３において、所定時間内に、第２音量値から第１音量値に変更されたＣＥＣ信号が受信されたと判断された場合には、ステップＳ４に進み、音量値の調整量が変更される。ステップＳ４において音量値の調整量が変更されると、ステップＳ５に進む。次に、ステップＳ５において、音量調整状態が記憶部２７に記憶されて、音量値調整処理が終了される。
【００４８】
次に、図１、図３、図４および図６を参照して、図５の音量値調整処理におけるステップＳ４の調整量変更処理について説明する。
【００４９】
図６に示すように、ステップＳ１１において、第１音量値が第２音量値より小さいか否かが判断される。第１音量値が第２音量値より小さいと判断された場合には、ステップＳ１２に進む。一方、第１音量値が第２音量値より小さいと判断されない場合には、ステップＳ１３に進む。
【００５０】
ステップＳ１２において、ＢＤ側アンプ２４（図１参照）の音量値の調整量がＴＶ１（図１参照）の音量値の調整量の中間値になるように変更され、第１音量値に対応する音量値が調整されてＴＶ１に出力される。たとえば、図３に示す例では、ＢＤ側アンプ２４における音量値の調整量が１ｄＢから０．５ｄＢに変更され、第１音量値に対応する音量値（たとえば、音量値２０（２０ｄＢ））に０．５ｄＢ加算した状態でＴＶ１に出力される。これにより、音量値２０．５の音声がＴＶ１から出力される。その後、調整量変更処理が終了される。
【００５１】
ステップＳ１３において、ＢＤ側アンプ２４の音量値の調整量がＴＶ１の音量値の調整量の中間値になるように変更され、第１音量値に対応する音量値が調整されてＴＶ１に出力される。たとえば、図４に示す例では、ＢＤ側アンプ２４における音量値の調整量が１ｄＢから０．５ｄＢに変更され、第１音量値に対応する音量値（たとえば、音量値２０（２０ｄＢ））に０．５ｄＢ加算した状態でＴＶ１に出力する。
【００５２】
次に、ステップＳ１４において、ＴＶ側アンプ１６の音量値を１下げる旨のＣＥＣ信号がＴＶ１に伝送される。たとえば、図４に示す例では、ＢＤ側アンプ２４が、ＴＶ１に出力された音声（音量値２０．５）から音量値を１だけ下げるように、制御部２８はＴＶ側アンプ１６の音量値を１だけ下げる旨のＣＥＣ信号をＴＶ１の制御部１７に伝送する。これにより、音量値１９．５の音声がＴＶ１から出力される。その後、調整量変更処理が終了される。
【００５３】
第１実施形態では、上記のように、ＴＶ１の音量値が第１音量値から第２音量値に変更された後、所定時間以内（たとえば、３秒）に、第２音量値から第１音量値に変更された場合に、音量値が第１音量値と第２音量値との間の大きさになるようにＢＤ側アンプ２４を制御する制御部２８を設けることによって、ＢＤ側アンプ２４から出力される音量を、第１音量値および第２音量値のみならず第１音量値と第２音量値との間の大きさにも設定することができる。これにより、出力中（試聴中）の音量がユーザにとって第１音量値では過小であり第２音量値では過大であるような場合においても、ユーザはそれらの間の大きさに調整（微調整）された音量の状態で音声を聴くことができるので、ユーザがより快適さを求める（真に所望する）音量レベルに調整することができる。また、ユーザが第１音量値と第２音量値とを行ったり来たりして最適な音量値（音量設定値）を決め兼ねているような場合に第１音量値と第２音量値との間の大きさに調整（設定）することができるので、機器操作に基づくユーザの意思を的確にＴＶ１に反映してユーザがより快適さを求める音量レベルに調整することができる。
【００５４】
第１実施形態では、上記のように、音量値が第１音量値と第２音量値との略中間値になるようにＢＤ側アンプ２４を制御するように制御部２８を構成する。これにより、ＴＶ１の音量値に第１音量値と第２音量値とのおおよそ中間（平均）値が適用されるので、ユーザがより快適さを求める音量レベルに比較的迅速に近づけることができる。
【００５５】
第１実施形態では、上記のように、ＴＶ１に含まれるＴＶ側アンプ１６が有する音量値の調整量よりも小さい調整量でＴＶ１の音量値を調整可能にＢＤ側アンプ２４を構成し、第１音量値と第２音量値との差よりも小さい調整量によりＴＶ１の音量値が第１音量値と第２音量値との間の第３音量値に変更されるようにＢＤ側アンプ２４を制御するように制御部２８を構成する。これにより、ＴＶ１から出力される音量を、第１音量値および第２音量値の間の第３音量値に容易に微調整することができる。
【００５６】
第１実施形態では、上記のように、ＴＶ１に対する音量設定状態を記憶可能な記憶部２７を設けるとともに、ＴＶ１との接続が解除された後、再度、ＴＶ１が接続されたと判断した場合に、記憶部２７に記憶された音量設定状態に基づいて、音量値が第１音量値と第２音量値との間の大きさになるようにＢＤ側アンプ２４を制御するように制御部２８を構成する。これにより、ＴＶ１との接続が解除された後、再度、このＢＤレコーダ２にＴＶ１が接続された場合にも、記憶部２７に記憶されたＴＶ１に対する音量設定状態に基づいて、ＴＶ１の音量をユーザがより快適さを求める音量レベルに容易かつ迅速に調整することができる。
【００５７】
第１実施形態では、上記のように、音量値が第１音量値と第２音量値との間の大きさに調整された状態において、ＴＶ１の音量値が第１音量値側から第２音量値側に向けて一方方向に複数回（たとえば、３回）にわたって変更された際、音量値を第１音量値と第２音量値との間の大きさに調整するＢＤ側アンプ２４の調整制御を解除するよう制御部２８を構成する。これにより、異なるユーザがＴＶ１を使用する場合など、音量値（音量レベル）を一方向に増加または減少させてＴＶ１から出力される音量値を大幅に変更したい場合に、それまでの第１音量値と第２音量値との間の大きさに音量値を調整する上記した微調整制御を速やかに解除することができるので、このＢＤレコーダ２の操作性が微調整制御のみに特化しすぎて低下することを抑制することができる。
【００５８】
第１実施形態では、上記のように、ＴＶ１とＢＤレコーダ２とは、ＨＤＭＩ規格に基づく通信を行うことが可能なＨＤＭＩ接続部２６をさらに備えるとともに、ＨＤＭＩ規格に基づいたＣＥＣ信号によって、ＨＤＭＩ接続部２６を介してＴＶ１の音量値を第１音量値と第２音量値との間の大きさにする制御をＴＶ１に対して行うように制御部２８を構成する。これにより、ＣＥＣ信号形式により、ＴＶ１の音量値を第１音量値および第２音量値の間の音量値に調整（微調整）する制御をＴＶ１に対して容易に行うことができる。
【００５９】
（第２実施形態）
以下、図１、図５、図７および図８を参照して、本発明の第２実施形態による映像システム２００の構成について説明する。なお、映像システム２００は、本発明の「電子機器システム」の一例である。
【００６０】
この第２実施形態では、上記第１実施形態で説明したＴＶ１の音量値が第１音量値から第２音量値に変更された後、第２音量値から第１音量値に変更された場合に、音量値を第１音量値および第２音量値の間の音量値になるようにＢＤ側アンプ２４を制御する構成に加えて、ユーザにより調整された音量値の調整履歴情報にも基づいてＢＤ側アンプ２４を制御する映像システム２００について説明する。
【００６１】
ここで、第２実施形態では、記憶部２７（図１参照）は、ユーザにより調整されたＴＶ１の音量値を調整履歴情報２１０（図７参照）として記憶するように構成されている。調整履歴情報２１０には、音量値と、その音量値に調整された調整回数とが含まれている。たとえば、図７に示す例では、ユーザにより音量値２０に調整された回数が１２回であることを示している。また、調整履歴情報２１０には、音量値が調整された日時に関する情報も含まれる。たとえば、音量値２０が３回目に調整された日時は、２０１２年６月１日２３時１５分である。
【００６２】
これにより、第２実施形態では、制御部２８（図１参照）は、ＴＶ１の音量値が調整されるとともに、調整後、所定時間（たとえば、１分間）音量値の調整が行われない場合には、その音量値の調整回数を１増加させる制御を行うように構成されている。また、制御部２８は、ＴＶ１の電源が投入されてから、音量値が調整されなかった場合には、電源投入時の音量値の調整回数を１増加させる制御を行うように構成されている。
【００６３】
また、第２実施形態では、制御部２８は、図７に示す例では、調整履歴情報２１０に基づいて、調整回数が最多である音量値２０を最多調整音量値して決定し、最多調整音量値の前後の音量値のうちの調整回数が多い方の音量値である音量値２１を最多調整隣接音量値として決定する。そして、制御部２８は、音量値２０（最多調整音量値）と音量値２１（最多調整隣接音量値）との音量差よりも小さい調整量（たとえば、０．２５ｄＢ）にＴＶ１の音量値が調整されるようにＢＤ側アンプ２４を制御するように構成されている。
【００６４】
また、第２実施形態では、制御部２８は、音量値２０および音量値２１の間に新たに設けられた音量値に音量が調整された場合には、調整履歴情報２１０として記憶される音量値は、小数第１位を四捨五入した音量値の調整回数として記憶するように構成されている。たとえば、音量値２０．２５に音量値が調整された場合には、音量値２０の調整回数を１増加させる制御を行うように構成されている。また、音量値２０．５または音量値２０．７５に音量値が調整された場合には、音量値２１の調整回数を１増加させる制御を行うように構成されている。
【００６５】
また、制御部２８は、変更された音量値間の調整量が所定期間（たとえば、１か月）使用されなかった場合には、変更された音量値間の調整量を初期状態に戻す制御を行うように構成されている。すなわち、制御部２８は、音量値２０、音量値２０．２５、音量値２０．５、音量値２０．７５および音量値２１のいずれもが、所定期間使用されなかった場合には、音量値２０（最多調整音量値）および音量値２１（最多調整隣接音量値）との音量差よりも小さい調整量になるようにＢＤ側アンプ２４を制御することを解除するように構成されている。
【００６６】
また、制御部２８は、記憶された調整履歴情報２１０が所定期間（たとえば、６か月）経過したことに基づいて、音量値の調整履歴が記憶されてから経過時間が長いものから順に調整履歴情報を削除し、削除後の調整履歴情報２１０に基づいて音量値２０（最多調整音量値）および音量値２１（最多調整隣接音量値）との音量差よりも小さい調整量になるようにＢＤ側アンプ２４を制御する。たとえば、制御部６は、音量値２０に３回目に設定された調整履歴情報２１０（図２参照）は、設定された２０１２年６月１日２３時１５分から所定期間経過後の２０１２年１２月１日２３時１５分に削除する制御を行うように構成されている。
【００６７】
制御部２８は、電源オフ状態にされた後、再度、電源オン状態にされる際に、音量値２０に設定された状態で電源オン状態にする制御を行うように構成されている。制御部２８は、電源オフ状態にされた後、再度、電源オン状態にされる際に、最多調整音量値（たとえば、音量値２０）と最多調整隣接音量値（たとえば、音量値２１）との音量差よりも小さい調整量（たとえば、０．２５ｄＢ）になるようにＢＤ側アンプ２４を制御するように構成されている。
【００６８】
また、第２実施形態では、制御部２８は、上記の音量値の調整履歴情報に基づいてＢＤ側アンプ２４を調整する制御を、音量値が最多調整音量値（たとえば、音量値２０）と最多調整隣接音量値（たとえば、音量値２１）との間（図７参照）で変更された場合に実施される。
【００６９】
また、第２実施形態では、制御部２８は、音量値が最多設定音量値（たとえば、音量値２０）と最多設定隣接音量値（たとえば、音量値２１）との間、以外の音量値（図７参照）に変更された場合は、上記第１実施形態の音量調整処理（図５参照）が実施される。
【００７０】
なお、第２実施形態のその他の構成は、上記第１実施形態と同様である。
【００７１】
第２実施形態では、上記のように、ＢＤ側アンプ２４を、ＴＶ１の音量値が第１音量値から第２音量値に変更された後、第２音量値から第１音量値に変更された場合に、音量値が第１音量値と第２音量値との間の大きさ（たとえば、０．５ｄＢ）になるように制御するととともに、調整履歴情報に基づいて最多調整音量値と最多調整隣接音量値との間の音量差（たとえば、１ｄＢ）よりも小さい調整量（たとえば、０．２５ｄＢ）に音量値が調整されるように制御されるように構成する。これにより、ユーザに普段調整される可能性が高い最多調整音量値と最多調整隣接音量値との間では、音量値をより小さい調整量で調整できるとともに、ユーザに普段調整されない音量値に変更された場合にも、第１音量値と第２音量値との間の大きさに音量値を調整することができるので、音量値の大きさが異なる使用状態においてもユーザがより快適さを求める（真に所望する）音量レベルに容易に調整することができる。
【００７２】
なお、第２実施形態のその他の効果は、上記第１実施形態と同様である。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
たとえば、上記第１および第２実施形態では、ＢＤレコーダ２（音量調整機能を有する電子機器）に本発明を適用する例を示したが、本発明はこれに限られない。本発明では、たとえば、ＳＴＢ（セットトップボックス）など、ＢＤレコーダ以外の音量調整機能を有する電子機器に本発明を適用してもよい。
【００７５】
また、上記第１および第２実施形態では、本発明の第１音量値（音量値２０）と第２音量値（音量値２１）との差よりも小さい調整量としての０．５ｄＢによりＴＶ１（外部接続機器）の音量値を調整する例を示したが、本発明はこれに限られない。本発明では、第１音量値と第２音量値との差よりも小さい調整量であれば、０．５ｄＢ以外の調整量を用いて外部接続機器の音量値を調整してもよい。
【００７６】
また、上記第１および第２実施形態では、ＴＶ１（外部接続機器）の音量値が第１音量値側から第２音量値側に向かって同じ方向に３回にわたって変更された際、音量値を調整するＢＤ側アンプ２４（音量調整部）の制御を解除するように構成する例を示したが、本発明はこれに限られない。本発明では、ＴＶ１の音量値が第１音量値側から第２音量値側に向かって同じ方向に２回または４回以上にわたって変更された際、音量値を調整する音量調整部の制御を解除するように構成してもよい。また、本発明では、ＴＶ１の音量値が第１音量値から第２音量値に変更されるとともに、第２音量値から第１音量値に変更された後、所定時間（たとえば、１０秒）、外部接続機器の音量値の操作がない場合には、音量値を調整する音量調整部の制御を解除するように構成してもよい。
【００７７】
また、上記第１および第２実施形態では、ＴＶ１（外部接続機器）の音量値が第１音量値（たとえば、音量値２０）から第２音量値（たとえば、音量値２１）に上げられた後、第２音量値から第１音量値に下げられた場合に、第１音量値と第２音量値との中間値としての第３音量値（たとえば、音量値２０．５）になるようにＢＤ側アンプ２４を調整する例を示したが、本発明はこれに限られない。本発明では、第１音量値と第２音量値との間の第３音量値から第２音量値に変更されるとともに、第２音量値から第３音量値に変更された場合に、第２音量値と第３音量値との差よりも小さい調整量を用いて音量値が第１音量値と第３音量値との間の大きさの第５音量値になるように音量調整部を制御してもよい。具体的には、図８に示す変形例のように、ＢＤ側アンプ２４における音量値の調整量が変更（たとえば、０．５ｄＢ）された状態で、ＴＶ１の音量値が１上げられた（たとえば、第３音量値（音量値２０．５）から第２音量値（音量値２１））後、第２音量値から第３音量値に下げられた場合に、第２音量値と第３音量値との間の大きさの第５音量値（たとえば、音量値２０．７５）になるように音量調整部を制御してもよい。この場合、音量調整部の調整量は０．２５ｄＢに変更される。
【００７８】
また、外部接続機器の音量値が第３音量値から第１音量値に変更されるとともに、第１音量値から第３音量値に変更された場合に、第１音量値と第３音量値との差よりも小さい調整量を用いて音量値が第３音量値と第１音量値との間の大きさの第４音量値になるように音量調整部を制御してもよい。具体的には、図９に示す変形例のように、ＢＤ側アンプ２４における音量値の調整量が変更（たとえば、０．５ｄＢ）された状態で、ＴＶ１の音量値が１下げられた（たとえば、第３音量値（音量値２０．５）から第１音量値（音量値２０））後、第１音量値から第３音量値に上げられた場合に、第１音量値と第３音量値との間の大きさの第４音量値（たとえば、音量値２０．２５）になるように音量調整部を制御してもよい。この場合、音量調整部の調整量は０．２５ｄＢに調整される。これらにより、外部接続機器の音量が、第１音量値および第２音量値の間の第３音量値のみならず、第１音量値と第３音量値との間の大きさの第４音量値または第２音量値と第３音量値との間の大きさの第５音量値に向けてさらに微調整されるので、ユーザがこの電子機器を使用して外部接続機器から音声を聴く際の音量レベルに関する快適性をより高めることができる。
【００７９】
また、上記第１および第２実施形態では、ＢＤレコーダ２（音量調整機能を有する電子機器）が、ＴＶ１の音量値が第１音量値から第２音量値に変更された後、第２音量値から第１音量値に変更されたことをＨＤＭＩ規格に基づくＣＥＣ信号により検出する例を示したが、本発明はこれに限られない。本発明では、機器間で双方向に通信可能な信号であればＨＤＭＩ規格に基づくＣＥＣ信号以外の信号により、音量調整機能を有する電子機器が、ＴＶ１の音量値が第１音量値から第２音量値に変更された後、第２音量値から第１音量値に変更されたことを検出してもよい。
【００８０】
また、上記第１および第２実施形態では、デコーダ２１を、チューナ２２ａにより受信された放送波、ＢＤドライブ２２ｂに挿入されたＢＤのデータまたはＨＤＤに記憶されたデータを復号可能に構成する例を示したが、本発明はこれに限られない。本発明では、音量調整機能を有する電子機器にＳＤスロットやＵＳＢポートを設け、ＳＤカードに記憶されたデータやＵＳＢメモリに記憶されたデータを復号可能なようにデコーダを構成してもよい。また、音量調整機能を有する電子機器にＬＡＮ（Ｌｏｃａｌ  Ａｒｅａ  Ｎｅｔｗｏｒｋ）またはＷＡＮ（Ｗｉｄｅ  Ａｒｅａ  Ｎｅｔｗｏｒｋ）に対応した端子を設け、ＬＡＮまたはＷＡＮから取得したデータを復号可能なようにデコーダを構成してもよい。また、音量調整機能を有する電子機器にアナログ端子や、デジタル端子（たとえば、ＨＤＭＩ端子、Ｏｐｔｉｃａｌ端子、Ｃｏａｘｉａｌ端子）を設け、これらの端子から入力された入力信号を復号してもよい。
【００８１】
また、上記第１および第２実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８２】
１  ＴＶ（外部接続機器）
２  ＢＤレコーダ（音量調整機能を有する電子機器）
１６  ＴＶ側アンプ（外部機器音量設定部）
２４  ＢＤ側アンプ（音量調整部）
２６  ＨＤＭＩ接続部（ＨＤＭＩ通信部）
２７  記憶部
２８  制御部
１００、２００  電子機器システム
【図１】
2014086965.tif 000003
【図２】
2014086965.tif 000004
【図３】
2014086965.tif 000005
【図４】
2014086965.tif 000006
【図５】
2014086965.tif 000007
【図６】
2014086965.tif 000008
【図７】
2014086965.tif 000009
【図８】
2014086965.tif 000010
【図９】
2014086965.tif 000011